(57)【要約】【課題】複数のゲートウェイ装置を容易に並列化し、スケーラビリティを向上させることのできる通信経路制御システムを得る。【解決手段】通信経路制御装置１２は、複数のゲートウェイ装置１３，１４の動作状態に基づいて、リソース残量を認識する。その結果、いずれかのゲートウェイ装置のリソース残量が少なく、他のゲートウェイ装置のリソース残量が多いと認識した場合、リソース残量が少ないゲートウェイ装置が処理対象とする端末のうち、非通信中である端末が、リソース残量の多いゲートウェイ装置の処理対象となるよう、処理対象の端末を変更する。【選択図】図１
2007181079.tif 000002
【特許請求の範囲】
【請求項１】
それぞれが、回線交換網に接続され、処理対象として割り当てられている回線交換端末と、ＩＰ交換網に接続され、処理対象として割り当てられているＩＰ交換端末との相互通信接続を行う複数のゲートウェイ装置と、
前記複数のゲートウェイ装置の動作状態に基づいて、前記複数のゲートウェイ装置のうちのいずれかのゲートウェイ装置の残りリソースが少ないことが認識され、かつ、他のゲートウェイ装置の残りリソースが多いことが認識された場合、前記残りリソースが少ないゲートウェイ装置が処理対象とする回線交換端末およびＩＰ交換端末のうち、非通信中である端末が、前記残りリソースの多いゲートウェイ装置の処理対象となるよう、処理対象の端末を変更する通信経路制御装置とを備えた通信経路制御システム。
【請求項２】
ゲートウェイ装置の動作状態は、当該ゲートウェイ装置の非通信中である回線の数または当該ゲートウェイ装置の処理負荷量を含み、
通信経路制御装置は、前記非通信中である回線の数が多い程、または前記処理負荷量が大きい程、そのゲートウェイ装置のリソースが少ないと判定することを特徴とする請求項１記載の通信経路制御システム。
【請求項３】
通信経路制御装置は、
残りリソースが少ないゲートウェイ装置から残りリソースが多いゲートウェイ装置に変更する端末として、その時点までの通話回数が多い端末、または、通話時間が長い端末を優先的に対象とすることを特徴とする請求項１または請求項２記載の通信経路制御システム。
【請求項４】
それぞれのゲートウェイ装置は、
回線交換端末の回線交換網における識別情報と、当該回線交換端末のＩＰ交換網における識別情報との対応関係と、当該回線交換端末が非通信中か否かを示す第１の識別情報対応テーブルと、ＩＰ交換端末のＩＰ交換網における識別情報と、当該ＩＰ交換端末の回線交換網における識別情報との対応関係と、当該ＩＰ交換端末が非通信中か否かを示す第２の識別情報対応テーブルとを有し、これら第１の識別情報対応テーブルおよび第２の識別情報対応テーブルの識別情報を用いて、前記回線交換端末とＩＰ交換端末との相互通信接続を行い、
通信経路制御装置は、
変更元となるゲートウェイ装置が有する、前記第１の識別情報対応テーブルの非通信中である回線交換端末の情報を、変更先となるゲートウェイ装置が有する前記第１の識別情報対応テーブルに移動させ、かつ、変更元となるゲートウェイ装置が有する、前記第２の識別情報対応テーブルの非通信中であるＩＰ交換端末の情報を、変更先となるゲートウェイ装置が有する前記第２の識別情報対応テーブルに移動させることで処理対象の端末を移動させることを特徴とする請求項１から請求項３のうちのいずれか１項記載の通信経路制御システム。
【請求項５】
ＩＰ交換網における識別情報に基づいて、ＩＰ交換端末と、回線交換端末を収容しているゲートウェイ装置との経路制御を行う経路制御サーバを備え、
通信経路制御装置は、ゲートウェイ装置の処理対象を変更した場合、当該変更内容を前記経路制御サーバに通知することを特徴とする請求項４記載の通信経路制御システム。
【請求項６】
第１の識別情報対応テーブルに記載されている回線交換端末に対応付けられたＩＰ交換網における識別情報は、当該回線交換端末が処理対象に割り当てられているゲートウェイ装置のＩＰ交換網における識別情報と共に経路制御サーバに登録されている識別情報であることを特徴とする請求項５記載の通信経路制御システム。
【請求項７】
第２の識別情報対応テーブルに記載されているＩＰ交換端末に対応付けられた回線交換網における識別情報は、当該ＩＰ交換端末が処理対象に割り当てられているゲートウェイ装置に接続されている回線交換網における電話番号であることを特徴とする請求項４から請求項６のうちのいずれか１項記載の通信経路制御システム。
【請求項８】
通信経路制御装置は、
いずれかのゲートウェイ装置に障害が発生したことを認識した場合、当該障害の発生したゲートウェイ装置が有する第１の識別情報対応テーブルと第２の識別情報対応テーブルで示された処理対象の端末を、いずれかのゲートウェイ装置に移動させることを特徴とする請求項４から請求項７のうちのいずれか１項記載の通信経路制御システム。
【請求項９】
通信経路制御装置は、
いずれかのゲートウェイ装置から定期的に送信される動作状態の通知が受信できなくなった場合、または、受信した動作状態の内容に異常を示す内容があった場合に、当該ゲートウェイ装置は障害が発生したと判定することを特徴とする請求項８記載の通信経路制御システム。
【請求項１０】
ＩＰ交換網における識別情報は、ＳＩＰ  ＵＲＩであることを特徴とする請求項１から請求項９のうちのいずれか１項記載の通信経路制御システム。
【発明の詳細な説明】
【技術分野】
【０００１】
この発明は、異なる通信方式の端末間で通信を行う際に使用されるゲートウェイ装置を制御する通信経路制御システムに関するものである。
【背景技術】
【０００２】
一般に、異なる網に接続されていたり、通信方式が異なっていたりするマルチメディア端末間でマルチメディア通信を行うためには、網や通信方式を変換する装置であるゲートウェイ装置を経由する必要がある。しかし、ゲートウェイ装置の演算処理能力や、ゲートウェイ装置が有する物理的な回線の数が制限となって、１台のゲートウェイ装置が同時に変換することのできる通信の数には限界があった。
【０００３】
そこで、このような限界を解決するために、複数の装置を用意してそれぞれに適切なパケットを割り振ることで処理の並列化を行う技術が開発されている（例えば、特許文献１参照）。
【０００４】
【特許文献１】国際公開ＷＯ０３／００７１６０号公報
【発明の開示】
【発明が解決しようとする課題】
【０００５】
上記のような通信方法において、例えば、異なる網であるＩＰ交換網と回線交換網とを相互接続することを考えた場合、それぞれに接続されたマルチメディア端末同士で通信を行う場合に使用されるゲートウェイ装置には、物理的な回線として回線交換網とＩＰ交換網が接続される。そして、このようなＩＰ交換網と回線交換網とをＳＩＰ  ＵＲＩ（Session Initiation Protocol  Uniform Resource Identifier）を用いて相互接続することを考えた場合、ゲートウェイ装置はその内部に、ＳＩＰ  ＵＲＩと電話番号との相互変換を行うテーブルを持つ必要がある。
【０００６】
このような構成において、一度に多くの通信を同時に変換するためには、ゲートウェイ装置を複数台使用すればよいが、それぞれのゲートウェイ装置では異なる内容のＳＩＰ  ＵＲＩと電話番号の相互変換を行うテーブルを有するため、特定のゲートウェイ装置だけに通信が集中する可能性があり、並列化したメリットを十分に生かしているとは言えないものであった。
【０００７】
この発明は上記のような課題を解決するためになされたもので、複数のゲートウェイ装置を容易に並列化し、スケーラビリティを向上させることのできる通信経路制御システムを得ることを目的とする。
【課題を解決するための手段】
【０００８】
この発明に係る通信経路制御システムは、複数のゲートウェイ装置の動作状態に基づいて、複数のゲートウェイ装置のうちのいずれかのゲートウェイ装置の残りリソースが少ないことが認識され、かつ、他のゲートウェイ装置の残りリソースが多いことが認識された場合、残りリソースが少ないゲートウェイ装置が処理対象とする回線交換端末およびＩＰ交換端末のうち、非通信中である端末が、残りリソースの多いゲートウェイ装置の処理対象となるよう、処理対象の端末を変更する通信経路制御装置を備えたものである。
【発明の効果】
【０００９】
この発明の通信経路制御システムは、いずれかのゲートウェイ装置の残りリソースが少ない場合は、残りリソースの多いゲートウェイ装置に処理対象の端末を変更するようにしたので、複数のゲートウェイ装置を容易に並列化し、かつ、スケーラビリティを向上させることができる。
【発明を実施するための最良の形態】
【００１０】
実施の形態１．
実施の形態１では、ゲートウェイ装置から送信され、通信経路制御装置が受信したゲートウェイ装置の動作状態から得られる残リソース数に応じて、リソースが少ないことが認識されたゲートウェイ装置内のＳＩＰ  ＵＲＩと電話番号の相互変換を行うテーブルに記載されている１つ以上の端末情報を他のゲートウェイ装置に移動し、それに即した内容のＲＥＧＩＳＴＥＲメッセージをＳＩＰサーバに対して送信することでＳＩＰの呼を複数のゲートウェイ装置の状態に応じて適切に割り振るよう構成している。
【００１１】
図１は、本実施の形態の通信経路制御システムを示す構成図である。
図示の通信経路制御システムは、ゲートウェイシステム１、ＩＰ交換ネットワーク２とそれに接続されるＩＰ交換マルチメディア端末３，４、回線交換ネットワーク５とそれに接続される回線交換マルチメディア端末６，７とから構成されている。
【００１２】
ゲートウェイシステム１は、ＳＩＰサーバ１１、通信経路制御装置１２、ゲートウェイ装置１３，１４、およびＬＡＮ１５から構成されている。ＳＩＰサーバ１１は、ＩＰ交換網における識別情報としてＳＩＰ  ＵＲＩを用い、このＳＩＰ  ＵＲＩに基づいて、ＩＰ交換マルチメディア端末３，４とゲートウェイ装置１３，１４との経路制御を行う経路制御サーバである。即ち、ＳＩＰサーバ１１は、ＩＰ交換マルチメディア端末３，４の登録、アドレス解決、呼のルーティングの機能を有するサーバである。
【００１３】
図２は、ゲートウェイ装置１３の詳細を示す構成図である。
ゲートウェイ装置１３は、ＩＰ交換網インタフェース１３ａ、回線交換網インタフェース部１３ｂ、メディアデータ変換部１３ｃ、呼制御変換部１３ｄ、ＳＩＰ  ＵＲＩ電話番号対応テーブル１３ｅ、電話番号ＳＩＰ  ＵＲＩ対応テーブル１３ｆ、テーブル情報制御部１３ｇから構成される。
【００１４】
ＩＰ交換網インタフェース部１３ａは、ＩＰ交換ネットワーク２との通信制御を行うインタフェースであり、回線交換網インタフェース部１３ｂは、回線交換ネットワーク５との通信制御を行うインタフェースである。メディアデータ変換部１３ｃは、ＩＰ交換マルチメディア端末３，４と回線交換マルチメディア端末６，７とのメディアデータの変換を行う機能部である。呼制御変換部１３ｄは、ＳＩＰ  ＵＲＩ電話番号対応テーブル１３ｅや電話番号ＳＩＰ  ＵＲＩ対応テーブル１３ｆを用いて呼制御の変換を行う機能部である。
【００１５】
ＳＩＰ  ＵＲＩ電話番号対応テーブル１３ｅは、回線交換マルチメディア端末６，７の回線交換ネットワーク５における電話番号と、回線交換マルチメディア端末６，７のＩＰ交換ネットワーク２におけるＳＩＰ  ＵＲＩとの対応関係と、その回線交換マルチメディア端末６，７が非通信中であるか否かを示す第１の識別情報対応テーブルである。また、電話番号ＳＩＰ  ＵＲＩ対応テーブル１３ｆは、ＩＰ交換マルチメディア端末３，４のＩＰ交換ネットワーク２におけるＳＩＰ  ＵＲＩと、ＩＰ交換マルチメディア端末３，４の回線交換ネットワーク５における電話番号との対応関係と、そのＩＰ交換マルチメディア端末３，４が非通信中であるか否かを示す第２の識別情報対応テーブルである。
【００１６】
テーブル情報制御部１３ｇは、通信経路制御装置１２からの処理対象となる端末の追加や削除指示に基づいて、ＳＩＰ  ＵＲＩ電話番号対応テーブル１３ｅや電話番号ＳＩＰ  ＵＲＩ対応テーブル１３ｆに対して情報の追加や削除を行う機能部である。
尚、図２では、ゲートウェイ装置１３，１４の一例としてゲートウェイ装置１３の内部構成を示したが、ゲートウェイ装置１４の内部構成もゲートウェイ装置１３と同様である。
【００１７】
ゲートウェイシステム１に接続されるＩＰ交換マルチメディア端末３，４や回線交換マルチメディア端末６，７は、事前に電話番号とＳＩＰ  ＵＲＩをゲートウェイ装置１３，１４の中のＳＩＰ  ＵＲＩ電話番号対応テーブルや電話番号ＳＩＰ  ＵＲＩ対応テーブルに登録しておく必要があり、次に、これらのテーブルについて説明する。
【００１８】
図３は、ゲートウェイ装置１３が内部に有するＳＩＰ  ＵＲＩ電話番号対応テーブル１３ｅの内容の一例を示す説明図である。
ＳＩＰ  ＵＲＩ電話番号対応テーブル１３ｅは、ＩＰ交換マルチメディア端末３，４から回線交換マルチメディア端末６，７へゲートウェイ装置１３経由で電話をかけた場合に、ＳＩＰ  ＵＲＩから相手の電話番号を得るために使用されるテーブルである。このＳＩＰ  ＵＲＩ電話番号対応テーブル１３ｅにおけるＳＩＰ  ＵＲＩは、ゲートウェイ装置１３，１４のＩＰアドレスと共にＳＩＰサーバ１１に登録されているＳＩＰ  ＵＲＩであり、電話番号はゲートウェイシステム１に接続される回線交換マルチメディア端末６，７の電話番号である。
【００１９】
また、このＳＩＰ  ＵＲＩ電話番号対応テーブル１３ｅは、回線交換マルチメディア端末６，７からＩＰ交換マルチメディア端末３，４へ電話をかける際に、ＩＰ交換マルチメディア端末３，４へ通知する発ＵＲＩを着電話番号と着サブアドレスから得るためにも使用される。
【００２０】
図４は、ゲートウェイ装置１３が内部に有する電話番号ＳＩＰ  ＵＲＩ対応テーブル１３ｆの内容の一例を示す説明図である。
電話番号ＳＩＰ  ＵＲＩ対応テーブル１３ｆは、回線交換マルチメディア端末６，７からＩＰ交換マルチメディア端末３，４へ、ゲートウェイ装置１３経由で電話をかけた場合にゲートウェイ装置１３への着番号や着サブアドレスなどから相手のＳＩＰ  ＵＲＩを得るために使用されるテーブルである。この電話番号ＳＩＰ  ＵＲＩ対応テーブル１３ｆにおける電話番号はゲートウェイ装置１３に接続される回線交換ネットワーク５の電話番号であり、ＳＩＰ  ＵＲＩはこのゲートウェイ装置１３に接続されるＩＰ交換マルチメディア端末３，４のＳＩＰ  ＵＲＩである。
【００２１】
また、この電話番号ＳＩＰ  ＵＲＩ対応テーブル１３ｆは、ＩＰ交換マルチメディア端末３，４から回線交換マルチメディア端末６，７へ電話をかける際に、回線交換マルチメディア端末６，７へ通知する発番号をＦＲＯＭ  ＵＲＩから得るためにも使用される。
【００２２】
図５は、ゲートウェイ装置１４が内部に有するＳＩＰ  ＵＲＩ電話番号対応テーブルの内容の一例を示す説明図である。
また、図６は、ゲートウェイ装置１４が内部に有する電話番号ＳＩＰ  ＵＲＩ対応テーブルの内容の一例を示す説明図である。
図示のように、図５に示すＳＩＰ  ＵＲＩ電話番号対応テーブルは、図３に示すゲートウェイ装置１３のＳＩＰ  ＵＲＩ電話番号対応テーブル１３ｅに対応し、図６に示す電話番号ＳＩＰ  ＵＲＩ対応テーブルは、図４に示すゲートウェイ装置１３の電話番号ＳＩＰ  ＵＲＩ対応テーブルに対応している。但し、これらの各テーブルの内容はゲートウェイ装置１３の有する各テーブルとはその内容は重複していない。
【００２３】
ＳＩＰサーバ１１には、各ゲートウェイ装置１３，１４が内部に有するＳＩＰ  ＵＲＩ電話番号対応テーブルと、電話番号ＳＩＰ  ＵＲＩ対応テーブルとに記載されている全てのＳＩＰ  ＵＲＩと、そのテーブルを有するゲートウェイ装置１３，１４のＩＰアドレスの組み合わせが登録されている。
【００２４】
図７は、通信経路制御装置１２の内部構成である。
通信経路制御装置１２は、ゲートウェイ装置１３，１４の動作状態に基づいて、いずれかのゲートウェイ装置１３（１４）の残りリソースが少ないことが認識され、かつ、他のゲートウェイ装置１４（１３）の残りリソースが多いことが認識された場合、残りリソースが少ないゲートウェイ装置１３（１４）が処理対象とする回線交換マルチメディア端末６，７およびＩＰ交換マルチメディア端末３，４のうち、非通信中である端末が、残りリソースの多いゲートウェイ装置１４（１３）の処理対象となるよう、処理対象の端末を変更する機能を有している。
【００２５】
通信経路制御装置１２は、図７に示すように、ゲートウェイ管理部１２ａと、ＲＥＧＩＳＴＥＲメッセージ送信部１２ｂと、ＩＰ交換網インタフェース１２ｃとを備えている。ゲートウェイ管理部１２ａは、各ゲートウェイ装置１３，１４から動作状態を受信し、その情報に応じて各ゲートウェイ装置１３，１４における、内部のＳＩＰ  ＵＲＩ電話番号対応テーブルおよび電話番号ＳＩＰ  ＵＲＩ対応テーブルの内容を適切に変更するための指示を送信する機能を有している。ＲＥＧＩＳＴＥＲメッセージ送信部１２ｂは、ＳＩＰサーバ１１に対してＲＥＧＩＳＴＥＲメッセージを送信する機能を有している。ＩＰ交換網インタフェース１２ｃは、ＬＡＮ１５を介してＩＰ交換ネットワーク２との通信制御を行うためのインタフェースである。
【００２６】
また、図１において、ＩＰ交換ネットワーク２は、ＩＰ（インターネットプロトコル）に基づいて通信を行うＩＰ交換網であり、ＩＰ交換マルチメディア端末３，４は、このＩＰ交換ネットワーク２に接続される端末である。更に、回線交換ネットワーク５は、回線交換により通信を行う回線交換網であり、回線交換マルチメディア端末６，７は、この回線交換ネットワーク５に接続される端末である。
【００２７】
次に、実施の形態１の通信経路制御システムの動作について説明する。
先ず、ＩＰ交換マルチメディア端末３から回線交換マルチメディア端末６へ発呼する場合について説明する。
図８は、ＩＰ交換マルチメディア端末３から回線交換マルチメディア端末６へ発呼する場合の動作を示す説明図である。
１．ＩＰ交換マルチメディア端末３（ＳＩＰ  ＵＲＩ：Ｉ０００２＠△△△．ｃｏ．ｊｐ）から、回線交換マルチメディア端末６のＩＰ交換ネットワーク２でのＳＩＰ  ＵＲＩ（Ｃ０００３＠△△△．ｃｏ．ｊｐ）へ、ＳＩＰにて発呼（ＩＮＶＩＴＥメッセージ送信）する。
２．ＳＩＰサーバ１１には、Ｃ０００３＠△△△．ｃｏ．ｊｐはゲートウェイ装置１３のＩＰアドレスとして登録されているため、ＩＰ交換マルチメディア端末３からのＩＮＶＩＴＥメッセージは、ＳＩＰサーバ１１を経由しゲートウェイ装置１３に到達する。
３．ゲートウェイ装置１３は、ＳＩＰ  ＵＲＩ電話番号対応テーブル１３ｅによって、回線交換マルチメディア端末６の電話番号はＸＸ−ＸＸＸＸ−０００３であることを知る。
４．また、ゲートウェイ装置１３は、電話番号ＳＩＰ  ＵＲＩ対応テーブル１３ｆによって、ＩＰ交換マルチメディア端末３の電話番号は、ＹＹ−ＹＹＹＹ−０００１＃０００２であることを知る。
５．ゲートウェイ装置１３は、発番号をＹＹ−ＹＹＹＹ−０００１＃０００２、着番号をＸＸ−ＸＸＸＸ−０００３として電話を発呼する。
【００２８】
次に、回線交換マルチメディア端末６からＩＰ交換マルチメディア端末３へ発呼する場合について説明する。
図９は、回線交換マルチメディア端末６からＩＰ交換マルチメディア端末３へ発呼する場合の動作を示す説明図である。
１．回線交換マルチメディア端末６（電話番号：ＸＸ−ＸＸＸＸ−０００３）から、ＩＰ交換マルチメディア端末３の回線交換網での電話番号（ＹＹ−ＹＹＹＹ−０００１＃０００２）へ発呼する。
２．ゲートウェイ装置１３では、電話番号ＳＩＰ  ＵＲＩ対応テーブル１３ｆによってＩＰ交換マルチメディア端末３のＳＩＰ  ＵＲＩはＩ０００２＠△△△．ｃｏ．ｊｐであることを知る。
３．また、ゲートウェイ装置１３は、ＳＩＰ  ＵＲＩ電話番号対応テーブル１３ｅによって、回線交換マルチメディア端末６のＳＩＰ  ＵＲＩはＣ００３＠△△△．ｃｏ．ｊｐであることを知る。
４．ゲートウェイ装置１３は、ＦＲＯＭ  ＵＲＩをＣ００３＠△△△．ｃｏ．ｊｐ、ＴＯ  ＵＲＩをＩ０００２＠△△△．ｃｏ．ｊｐとしてＳＩＰにて発呼（ＩＮＶＩＴＥメッセージ送信）する。
５．ＳＩＰサーバ１経由でＩＮＶＩＴＥメッセージがＩＰ交換マルチメディア端末３に届く。
【００２９】
次に、ゲートウェイ装置１３，１４から通信経路制御装置１２への通知動作を説明する。
図１０は、この通知動作を示す説明図である。
図示のように、各ゲートウェイ装置１３，１４は、ある一定周期、あるいは新規の呼を受け付けた場合や、通話が終了した場合などの特定のイベントが発生した場合には通信経路制御装置１２に対して、そのゲートウェイ装置自身の動作状態を通知する。この動作状態は、装置内部のモジュールの状態や、変換中の通話の数、装置の演算装置の負荷率等を含むものである。
【００３０】
図１１は、通信経路制御装置１２の動作を示すフローチャートである。
通信経路制御装置１２のゲートウェイ管理部１２ａは、各ゲートウェイ装置１３，１４からの動作状態の受信待ちを行っている（ステップＳＴ１）。このような状態で、いずれかのゲートウェイ装置１３，１４から動作状態がＩＰ交換網インタフェース１２ｃ経由でゲートウェイ管理部１２ａに入力された場合、ゲートウェイ管理部１２ａは、受信した動作状態から各ゲートウェイ装置１３，１４の残りリソースを得る（ステップＳＴ２）。尚、この残りリソースを判定する基準としては、例えば、非通信中である回線が多い程残りリソースが少ないとしたり、あるいは、演算装置の処理負荷量が大きい程残りリソースが少ないとしたりする。
【００３１】
例えば、ステップＳＴ３において、ゲートウェイ装置１３の残リソース数が少なく、ステップＳＴ４において、ゲートウェイ装置１４の残リソース数が多い場合、ゲートウェイ装置１３を使用する新規の通話が開始されない様にするために、非通信中である端末情報をゲートウェイ装置１４へ移動する（ステップＳＴ５、ＳＴ６）。移動する端末としては、これまでにゲートウェイ装置１３を使用した回数（通話回数）が多い端末や通話時間が長い端末、あるいは、その時間帯での利用率が高い端末が優先的に選択される。
【００３２】
具体的には、図１２に示すように、先ずゲートウェイ装置１３に対してテーブル要素削除指示を出す（ステップＳＴ５）。このテーブル要素削除指示はゲートウェイ装置１３のＩＰ交換インタフェース部１３ａを経由し、テーブル情報制御部１３ｇに入る。テーブル情報制御部１３ｇは、テーブル内の非通信中の端末情報Ｃ００１、Ｃ００３、Ｉ００２、Ｉ００４をＳＩＰ  ＵＲＩ電話番号対応テーブル１３ｅおよび電話番号ＳＩＰ  ＵＲＩ対応テーブル１３ｆから削除する。次に、ゲートウェイ管理部１２ａは、ゲートウェイ装置１４に対して、ＩＰ交換網インタフェース１２ｃ経由でテーブル要素追加指示を出すことで、ゲートウェイ装置１３から削除した端末情報Ｃ００１、Ｃ００３、Ｉ００２、Ｉ００４をゲートウェイ装置１４に追加する（ステップＳＴ６）。
【００３３】
その結果、ゲートウェイ装置１３のＳＩＰ  ＵＲＩ電話番号対応テーブル１３ｅの内容は図１３に示すようになり、また、電話番号ＳＩＰ  ＵＲＩ対応テーブル１３ｆの内容は図１４に示すようになる。一方、ゲートウェイ装置１４のＳＩＰ  ＵＲＩ電話番号対応テーブルの内容は図１５に示すようになり、また、電話番号ＳＩＰ  ＵＲＩ対応テーブルの内容は図１６に示すようになる。
【００３４】
これらの図に示すように、ゲートウェイ装置１３のＳＩＰ  ＵＲＩ電話番号対応テーブル１３ｅにおける端末情報Ｃ００１、Ｃ００３がゲートウェイ装置１４のＳＩＰ  ＵＲＩ電話番号対応テーブルに移動し、ゲートウェイ装置１３の電話番号ＳＩＰ  ＵＲＩ対応テーブル１３ｆにおける端末情報Ｉ００２，Ｉ００４がゲートウェイ装置１４の電話番号ＳＩＰ  ＵＲＩ対応テーブルに移動している。
【００３５】
更に、通信経路制御装置１２は、ＲＥＧＩＳＴＥＲメッセージ送信部１２ｂからＩＰ交換網インタフェース１２ｃ経由でＳＩＰサーバ１１に対してＲＥＧＩＳＴＥＲメッセージを送信する（ステップＳＴ７）。このＲＥＧＩＳＴＥＲメッセージには、ＳＩＰ  ＵＲＩ電話番号対応テーブルおよび電話番号ＳＩＰ  ＵＲＩ対応テーブルで変更された全てのＩＰ交換マルチメディア端末３，４のＳＩＰ  ＵＲＩと、ゲートウェイ装置１３，１４のＩＰアドレスとの対応が含まれている。これによって、ＳＩＰサーバ１１に届くＣ００１＠△△△．ｃｏ．ｊｐあるいはＣ００３＠△△△．ｃｏ．ｊｐを宛先とする呼は、ゲートウェイ装置１４へと転送される。
【００３６】
これまで、ゲートウェイ装置１３，１４は２台として説明してきたが、ゲートウェイ装置１３，１４の台数が３台以上であってもよい。このように３台以上のゲートウェイ装置が存在する場合、リソース残量の少ないゲートウェイ装置から移動先となるゲートウェイ装置は、リソース残量の多いゲートウェイ装置の中で最もリソース残量に余裕があるものを優先する、といった制御を行ったり、あるいは、リソース残量の値に応じて複数のゲートウェイ装置に分配したりするようにしてもよい。
【００３７】
また、同様に、回線交換ネットワーク５あるいはＩＰ交換ネットワーク２に接続されているマルチメディア端末はそれぞれ２台として説明してきたが、端末の台数が増えても同様の効果が得られることは明らかである。
【００３８】
以上の手順によって、ゲートウェイ装置１３に通信が集中し、残リソースが足りなくなった場合でも残リソースに余裕のあるゲートウェイ装置１４に端末の情報を移動し、その移動と整合が取れるようにＳＩＰサーバへの登録を行い直すことで、ゲートウェイ装置１３に登録されていた端末からの呼を拒否することがなくなる。このように、複数のゲートウェイ装置を接続することで容易に高いスケーラビリティを持ったゲートウェイシステムを構築することが可能になる。
【００３９】
以上のように、実施の形態１の通信経路制御システムによれば、それぞれが、回線交換網に接続され、処理対象として割り当てられている回線交換端末と、ＩＰ交換網に接続され、処理対象として割り当てられているＩＰ交換端末との相互通信接続を行う複数のゲートウェイ装置と、複数のゲートウェイ装置の動作状態に基づいて、複数のゲートウェイ装置のうちのいずれかのゲートウェイ装置の残りリソースが少ないことが認識され、かつ、他のゲートウェイ装置の残りリソースが多いことが認識された場合、残りリソースが少ないゲートウェイ装置が処理対象とする回線交換端末およびＩＰ交換端末のうち、非通信中である端末が、残りリソースの多いゲートウェイ装置の処理対象となるよう、処理対象の端末を変更する通信経路制御装置とを備えたので、特定のゲートウェイ装置に呼が集中するといったことを防止することができ、複数のゲートウェイ装置を容易に並列化し、かつ、スケーラビリティを向上させることができる。
【００４０】
また、実施の形態１の通信経路制御システムによれば、ゲートウェイ装置の動作状態は、そのゲートウェイ装置の非通信中である回線の数またはそのゲートウェイ装置の処理負荷量を含み、通信経路制御装置は、非通信中である回線の数が多い程、または処理負荷量が大きい程、そのゲートウェイ装置のリソースが少ないと判定するようにしたので、複数のゲートウェイ装置のリソースをより均等とすることができる。
【００４１】
また、実施の形態１の通信経路制御システムによれば、通信経路制御装置は、残りリソースが少ないゲートウェイ装置から残りリソースが多いゲートウェイ装置に変更する端末として、その時点までの通話回数が多い端末、または、通話時間が長い端末を優先的に対象とするようにしたので、更に確実に端末間の通信接続を行うことができ、よりスケーラビリティを向上させることができる。
【００４２】
また、実施の形態１の通信経路制御システムによれば、それぞれのゲートウェイ装置は、回線交換端末の回線交換網における識別情報と、回線交換端末のＩＰ交換網における識別情報との対応関係と、回線交換端末が非通信中か否かを示す第１の識別情報対応テーブルと、ＩＰ交換端末のＩＰ交換網における識別情報と、ＩＰ交換端末の回線交換網における識別情報との対応関係と、ＩＰ交換端末が非通信中か否かを示す第２の識別情報対応テーブルとを有し、これら第１の識別情報対応テーブルおよび第２の識別情報対応テーブルの識別情報を用いて、回線交換端末とＩＰ交換端末との相互通信接続を行い、通信経路制御装置は、変更元となるゲートウェイ装置が有する、第１の識別情報対応テーブルの非通信中である回線交換端末の情報を、変更先となるゲートウェイ装置が有する第１の識別情報対応テーブルに移動させ、かつ、変更元となるゲートウェイ装置が有する、第２の識別情報対応テーブルの非通信中であるＩＰ交換端末の情報を、変更先となるゲートウェイ装置が有する第２の識別情報対応テーブルに移動させることで処理対象の端末を移動させるようにしたので、リソースの少ないゲートウェイ装置からリソースの多いゲートウェイ装置に対して容易に処理対象の端末を変更させることができる。
【００４３】
また、実施の形態１の通信経路制御システムによれば、ＩＰ交換網における識別情報に基づいて、ＩＰ交換端末と、回線交換端末を収容しているゲートウェイ装置との経路制御を行う経路制御サーバを備え、通信経路制御装置は、ゲートウェイ装置の処理対象を変更した場合、変更内容を経路制御サーバに通知するようにしたので、変更内容を経路制御サーバに対して確実に反映することができ、その結果、更に確実に端末間の通信接続を行うことができる。
【００４４】
また、実施の形態１の通信経路制御システムによれば、第１の識別情報対応テーブルに記載されている回線交換端末に対応付けられたＩＰ交換網における識別情報は、回線交換端末が処理対象に割り当てられているゲートウェイ装置のＩＰ交換網における識別情報と共に経路制御サーバに登録されている識別情報としたので、回線交換端末からＩＰ交換網への発呼やＩＰ交換網からの着呼をより正確に制御することができる。
【００４５】
また、実施の形態１の通信経路制御システムによれば、第２の識別情報対応テーブルに記載されているＩＰ交換端末に対応付けられた回線交換網における識別情報は、ＩＰ交換端末が処理対象に割り当てられているゲートウェイ装置に接続されている回線交換網における電話番号としたので、ＩＰ交換端末から回線交換網への発呼や回線交換網からの着呼をより正確に制御することができる。
【００４６】
実施の形態２．
実施の形態２では、ゲートウェイ装置から送信され通信経路制御装置が受信したゲートウェイ装置の動作状態から得られるゲートウェイ装置の状態が異常であったり、ゲートウェイ装置から動作状態が通信経路制御装置に届かなくなったりした場合に、ゲートウェイ装置に障害が発生したと認識し、障害が発生したと認識されたゲートウェイ装置に登録されていたものと同じ端末情報を、他の故障していないゲートウェイ装置に追加し、それに即した内容のＲＥＧＩＳＴＥＲメッセージをＳＩＰサーバに対して送信することでＳＩＰの呼を障害が発生していないゲートウェイ装置だけに割り振るようにしたものである。
【００４７】
図１７は、実施の形態２の通信経路制御システムの動作を示す説明図であるが、この図を援用してその構成を説明する。
実施の形態２において、実施の形態１と異なるのは通信経路制御装置１６の機能である。
実施の形態２の通信経路制御装置１６は、各ゲートウェイ装置１３，１４から定期的に送信される動作状態の通知が受信できなくなった場合、または異常を示す動作状態の通知があった場合、そのゲートウェイ装置に障害が発生したと判定し、その障害が発生したと認識したゲートウェイ装置が有するＳＩＰ  ＵＲＩ電話番号対応テーブルと電話番号ＳＩＰ  ＵＲＩ対応テーブルとを他のゲートウェイ装置に移動させるよう構成されている。尚、通信経路制御装置１６における内部構成の図面上の要素は図７と同様であるため、以下、図７に示した構成を援用して説明する。また、実施の形態２において、通信経路制御システムにおけるこれ以外の構成は、実施の形態１と同様であるため、ここでの説明は省略する。
【００４８】
次に、実施の形態２の動作について説明する。
ゲートウェイ装置１３，１４は、ある一定周期、あるいは新規の呼を受け付けた場合や、通話が終了した場合などの特定のイベントが発生した場合に通信経路制御装置１６へゲートウェイ装置１３，１４自身の動作状態を通知する。この動作状態は、装置内部のモジュールの状態や、変換中の通話の数、装置の演算装置の負荷率等を含むものである。ここでは図１７に示すように、ゲートウェイ装置１３からの動作状態が異常を表す内容であったり、動作状態の通知そのものが通信経路制御装置１６へ来なかったりする場合について述べる。
【００４９】
図１８は、通信経路制御装置１６の動作を示すフローチャートである。
実施の形態１と同様に、通信経路制御装置１６のゲートウェイ管理部１２ａは、各ゲートウェイ装置１３，１４からの動作状態の受信待ちを行っている（ステップＳＴ１）。このような状態で、ゲートウェイ管理部１２ａでは、受け取った各ゲートウェイ装置の動作状態の内容が異常を表すものであったり、動作状態そのものが通知されなくなったりしたことを認識した場合、そのゲートウェイ装置は障害が発生したものと見なす（ステップＳＴ１１、ＳＴ１２）。
【００５０】
ステップＳＴ１１において、ゲートウェイ装置１３からの動作状態の通知が受け取れなかった場合、または、ステップＳＴ１２においてゲートウェイ装置１３の動作状態が異常を示すものであった場合、ゲートウェイ管理部１２ａは、ゲートウェイ装置１３に障害が発生したと判定する。この場合は、ゲートウェイ装置１４のリソース残量に余裕があるかを調べる（ステップＳＴ１３）。ステップＳＴ１３において、余裕があった場合は、図１９に示すように、ゲートウェイ装置１４に対して、ＩＰ交換網インタフェース１２ｃ経由で、ゲートウェイ装置１３が有するＳＩＰ  ＵＲＩ電話番号対応テーブル１３ｅおよび電話番号ＳＩＰ  ＵＲＩ対応テーブル１３ｆに関する全ての端末情報のテーブル要素追加指示を出す（ステップＳＴ１４）。これにより、ゲートウェイ装置１３内に登録されていた全ての端末情報Ｃ００１〜Ｃ０６４と、Ｉ００１〜Ｉ０６４がゲートウェイ装置１４の有するＳＩＰ  ＵＲＩ電話番号対応テーブルと電話番号ＳＩＰ  ＵＲＩ対応テーブルに追加される。尚、ステップＳＴ１３において、ゲートウェイ装置１４のリソースに余裕が無かった場合は、そのまま処理を終了する。
【００５１】
その結果、ゲートウェイ装置１４のＳＩＰ  ＵＲＩ電話番号対応テーブルの内容は図２０に示すようになり、電話番号ＳＩＰ  ＵＲＩ対応テーブルの内容は図２１に示すようになる。
【００５２】
更に、通信経路制御装置１６は、図１９に示すように、内部のＲＥＧＩＳＴＥＲメッセージ送信部１２ｂからＩＰ交換網インタフェース１２ｃ経由でＳＩＰサーバ１１に対してＲＥＧＩＳＴＥＲメッセージを送信する（ステップＳＴ１５）。このＲＥＧＩＳＴＥＲメッセージには、ＳＩＰ  ＵＲＩ電話番号対応テーブルおよび電話番号ＳＩＰ  ＵＲＩ対応テーブルに追加された全てのＩＰ交換マルチメディア端末３，４のＳＩＰ  ＵＲＩとゲートウェイ装置１３，１４のＩＰアドレスとの対応が含まれている。これによって、ＳＩＰサーバ１１に入ったＣ００１＠△△△．ｃｏ．ｊｐからＣ０６４＠△△△．ｃｏ．ｊｐを宛先とする呼は、ゲートウェイ装置１４へと転送される。
【００５３】
尚、図１８のフローチャートにおいて、ステップＳＴ１１におけるゲートウェイ装置１３の情報受信やステップＳＴ１２における動作状態に異常がなかった場合は、ステップＳＴ２以降の処理に進む。これ以降のステップＳＴ２〜ステップＳＴ７の動作は、図１１に示した実施の形態１の動作と同様であるため、ここでの説明は省略する。
【００５４】
これまで、実施の形態２においても、ゲートウェイ装置１３，１４は２台として説明してきたが、３台以上であってもよい。ゲートウェイ装置１３，１４の台数が３台以上であった場合、上述したステップＳＴ１３において、他のゲートウェイ装置でリソース残量に余裕があるか否かを判断する場合に、複数のゲートウェイ装置で最もリソース残量に余裕のあるものを選択するといった制御や、複数のゲートウェイ装置におけるリソース残量に応じて処理対象となる端末を分配するといった制御を行ってもよい。
また、同様に、回線交換ネットワーク５あるいはＩＰ交換ネットワーク２に接続されているマルチメディア端末はそれぞれ２台として説明してきたが、端末の台数が増えても同様の効果が得られることは明らかである。
【００５５】
以上の手順によって、ゲートウェイ装置１３に障害が発生した場合ででも残リソースに余裕のあるゲートウェイ装置１４に端末の情報を移動し、その移動と整合が取れるようにＳＩＰサーバ１１への登録を行い直すことで、ゲートウェイ装置１３に登録されていた端末からの呼を拒否することがなくなる。このように、複数のゲートウェイ装置を接続することで容易に高いスケーラビリティを持ったゲートウェイシステムを構築することが可能になる。
【００５６】
以上のように、実施の形態２の通信経路制御システムによれば、通信経路制御装置は、いずれかのゲートウェイ装置に障害が発生したことを認識した場合、障害の発生したゲートウェイ装置が有する第１の識別情報対応テーブルと第２の識別情報対応テーブルで示された処理対象の端末を、いずれかのゲートウェイ装置に移動させるようにしたので、ゲートウェイ装置の故障が発生してもシステムを止めることなく処理を継続させることができる。このため、複数のゲートウェイ装置を容易に並列化し、スケーラビリティを向上させることが可能となる。
【００５７】
また、実施の形態２の通信経路制御システムによれば、通信経路制御装置は、いずれかのゲートウェイ装置から定期的に送信される動作状態の通知が受信できなくなった場合、または、受信した動作状態の内容に異常を示す内容があった場合に、そのゲートウェイ装置は障害が発生したと判定するようにしたので、いずれかのゲートウェイ装置に故障が発生した場合でもシステムを止めることがなく、システムとして、より信頼性を向上させることができる。
【００５８】
また、実施の形態１，２の通信経路制御システムによれば、ＩＰ交換網における識別情報は、ＳＩＰ  ＵＲＩとしたので、ＳＩＰプロトコルを用いた場合でも、特定のゲートウェイ装置に呼が集中するといったことを防止することができ、複数のゲートウェイ装置を容易に並列化し、かつ、スケーラビリティを向上させることができる。
【００５９】
尚、上記各実施の形態では、ＩＰ交換網における識別情報としてＳＩＰ  ＵＲＩを用いたが、同等の機能を持つ情報であれば、これを用いてもよい。
【図面の簡単な説明】
【００６０】
【図１】この発明の実施の形態１による通信経路制御システムを示す構成図である。
【図２】この発明の実施の形態１による通信経路制御システムのゲートウェイ装置の詳細を示す構成図である。
【図３】この発明の実施の形態１によるリソース残量の少ないゲートウェイ装置のＳＩＰ  ＵＲＩ電話番号対応テーブルを示す説明図である。
【図４】この発明の実施の形態１によるリソース残量の少ないゲートウェイ装置の電話番号ＳＩＰ  ＵＲＩ対応テーブルを示す説明図である。
【図５】この発明の実施の形態１によるリソース残量の多いゲートウェイ装置のＳＩＰ  ＵＲＩ電話番号対応テーブルを示す説明図である。
【図６】この発明の実施の形態１によるリソース残量の多いゲートウェイ装置の電話番号ＳＩＰ  ＵＲＩ対応テーブルを示す説明図である。
【図７】この発明の実施の形態１による通信経路制御システムの通信経路制御装置を示す構成図である。
【図８】この発明の実施の形態１による通信経路制御システムのＩＰ交換マルチメディア端末から回線交換マルチメディア端末へ発呼する場合の動作を示す説明図である。
【図９】この発明の実施の形態１による通信経路制御システムの回線交換マルチメディア端末からＩＰ交換マルチメディア端末へ発呼する場合の動作を示す説明図である。
【図１０】この発明の実施の形態１による通信経路制御システムのゲートウェイ装置から通信経路制御装置への通知動作を示す説明図である。
【図１１】この発明の実施の形態１による通信経路制御システムの通信経路制御装置の動作を示すフローチャートである。
【図１２】この発明の実施の形態１による通信経路制御システムの通信経路制御装置の動作を示す説明図である。
【図１３】この発明の実施の形態１によるリソース残量の少ないゲートウェイ装置の変更後のＳＩＰ  ＵＲＩ電話番号対応テーブルを示す説明図である。
【図１４】この発明の実施の形態１によるリソース残量の少ないゲートウェイ装置の変更後の電話番号ＳＩＰ  ＵＲＩ対応テーブルを示す説明図である。
【図１５】この発明の実施の形態１によるリソース残量の多いゲートウェイ装置の変更後のＳＩＰ  ＵＲＩ電話番号対応テーブルを示す説明図である。
【図１６】この発明の実施の形態１によるリソース残量の多いゲートウェイ装置の変更後の電話番号ＳＩＰ  ＵＲＩ対応テーブルを示す説明図である。
【図１７】この発明の実施の形態２による通信経路制御システムの動作を示す説明図である。
【図１８】この発明の実施の形態２による通信経路制御システムの動作を示すフローチャートである。
【図１９】この発明の実施の形態２による通信経路制御システムの通信経路制御装置の動作を示す説明図である。
【図２０】この発明の実施の形態２による変更先ゲートウェイ装置のＳＩＰ  ＵＲＩ電話番号対応テーブルを示す説明図である。
【図２１】この発明の実施の形態２による変更先ゲートウェイ装置の電話番号ＳＩＰ  ＵＲＩ対応テーブルを示す説明図である。
【符号の説明】
【００６１】
２  ＩＰ交換ネットワーク（ＩＰ交換網）、３，４  ＩＰ交換マルチメディア端末（ＩＰ交換端末）、５  回線交換ネットワーク（回線交換網）、６，７  回線交換マルチメディア端末（回線交換端末）、１１  ＳＩＰサーバ（経路制御サーバ）、１２，１６  通信経路制御装置、１３，１４  ゲートウェイ装置、１３ｅ  ＳＩＰ  ＵＲＩ電話番号対応テーブル（第１の識別情報対応テーブル）、１３ｆ  電話番号ＳＩＰ  ＵＲＩ対応テーブル（第２の識別情報対応テーブル）。
【図１】
2007181079.tif 000003
【図２】
2007181079.tif 000004
【図３】
2007181079.tif 000005
【図４】
2007181079.tif 000006
【図５】
2007181079.tif 000007
【図６】
2007181079.tif 000008
【図７】
2007181079.tif 000009
【図８】
2007181079.tif 000010
【図９】
2007181079.tif 000011
【図１０】
2007181079.tif 000012
【図１１】
2007181079.tif 000013
【図１２】
2007181079.tif 000014
【図１３】
2007181079.tif 000015
【図１４】
2007181079.tif 000016
【図１５】
2007181079.tif 000017
【図１６】
2007181079.tif 000018
【図１７】
2007181079.tif 000019
【図１８】
2007181079.tif 000020
【図１９】
2007181079.tif 000021
【図２０】
2007181079.tif 000022
【図２１】
2007181079.tif 000023